(57)【要約】構造体を支持するゴム脚集合体およびエンボスされた架台集合体であって：前記構造体の下部壁に沿って形成された開口および前記開口に係合するゴム脚を有しており、前記ゴム脚はネック部を通じて上部に接続された輪郭付けされた下部をもつものが提供される。前記ネック領域は、前記開口の壁に沿って垂直方向に自由に滑動するよう適応され、それにより、柔軟な輪郭付けされた下部の周縁領域がエンボスされた架台集合体の一部に接触し、それにより前記構造体を支持する。不均一な表面上で前記構造体がぐらつくのを防ぐために、前記ゴム脚集合体およびエンボスされた架台集合体が複数、前記構造体中に組み込まれることができる。前記構造体はセットトップボックスであることができる。
2013533618.tif 000002
【特許請求の範囲】
【請求項１】
電子装置であって：
下部壁をもつ筐体と；
前記下部壁に沿って形成された少なくとも一つの開口と；
前記少なくとも一つの開口に係合される少なくとも一つのゴム脚とを有しており、
前記少なくとも一つのゴム脚はネック部を通じて上部に接続された輪郭付けされた下部をもち、
前記上部は円錐状に形成され、前記上部は内向きの細い端部および外向きのショルダー領域をもつ広い端部をもち、
前記上部は、前記ショルダー領域が前記少なくとも一つの開口の内縁を過ぎたところで延在するよう前記開口に挿入され、それにより前記少なくとも一つのゴム脚が前記筐体中にロックされ、
前記輪郭付けされた下部は外部支持表面に接する底面および前記下部壁のほうに向けられ、前記ネック領域に接続される上面をもち、
前記上面は中央領域および周縁領域をもち、前記周縁領域は前記中央領域から広がり、前記下部壁のほうに屈曲し、それにより前記周縁領域の一部が前記筐体の外側部分に接触する、
電子装置。
【請求項２】
請求項１記載の電子装置であって、前記少なくとも一つのゴム脚に、前記ネック領域から前記上部の中まで延在する細長い開口をさらに有しており、前記細長い開口は前記ショルダー領域が内向きにたわんで前記少なくとも一つの開口を通ることを許容する、電子装置。
【請求項３】
前記輪郭付けされた下部、前記上部および前記ネック部はそれぞれ中心垂直軸をもち、それらの中心垂直軸は同一直線上である、請求項２記載の電子装置。
【請求項４】
前記上部の広い端部が前記輪郭付けされた下部の幅より小さな幅をもつ、請求項３記載の電子装置。
【請求項５】
前記下部壁から丸まった周縁底部まで外向きに延びる少なくとも一つの輪郭付けされた開口集合体と；
前記下部壁のほうに内向きに、前記開口を囲む平坦な水平桟まで延びる、前記丸まった周縁底部内の凹部とを有する、
請求項４記載の装置。
【請求項６】
前記輪郭付けされた下部は、前記周縁領域が前記水平桟に接するよう、前記凹部内に位置され、前記水平桟が前記筐体の前記外側部分である、請求項５記載の電子装置。
【請求項７】
前記下部の一部が前記丸まった周縁底部を過ぎて突出する、請求項６記載の電子装置。
【請求項８】
前記ネック領域が円筒状に形成され、前記開口を囲む壁の高さより大きな垂直方向高さをもつ、請求項７記載の電子装置。
【請求項９】
前記周縁領域が前記水平桟に対して上の力を加える、請求項８記載の電子装置。
【請求項１０】
少なくとも四つのゴム脚を有する、請求項９記載の電子装置。
【請求項１１】
セットトップボックスである、請求項１０記載の電子装置。
【請求項１２】
前記セットトップボックスの前記下部壁が前記外部支持表面から少なくとも6mmとなる程度まで前記丸まった周縁底部が突き出ている、請求項１１記載の電子装置。
【請求項１３】
前記ネック領域は、前記ゴム脚が前記下部壁にロックされたまま、前記開口の前記壁に沿って垂直方向に自由に滑動するよう適応される、請求項１２記載の電子装置。
【請求項１４】
前記下部壁から周縁底部まで外向きに延びる少なくとも一つの輪郭付けされた開口集合体と；
前記開口を囲む平坦な水平桟まで前記下部壁に向かって内向きに延びる前記周縁底部内の凹部とを有する、
請求項１記載の電子装置。
【請求項１５】
前記輪郭付けされた下部は、前記周縁領域が前記水平桟に接触するよう前記凹部内に位置され、前記水平桟が前記筐体の前記外側部分である、請求項１４記載の電子装置。
【請求項１６】
前記下部の一部が前記周縁底部を通じて突き出る、請求項１５記載の電子装置。
【請求項１７】
前記ネック領域が円筒状に形成され、前記開口を囲む壁の高さより大きな垂直方向高さをもつ、請求項１６記載の電子装置。
【請求項１８】
前記周縁領域が前記水平エッジに対して上の力を加え、前記水平桟が前記筐体の前記外側部分である、請求項１７記載の電子装置。
【請求項１９】
前記水平エッジが前記下部壁より低い、請求項１７記載の電子装置。
【請求項２０】
構造体を支持するゴム脚集合体およびエンボスされた架台集合体であって：
前記構造体の下部壁に沿って形成された開口と；
前記開口に係合するゴム脚とを有しており、前記ゴム脚はネック部を通じて上部に接続された輪郭付けされた下部をもち、
前記上部は円錐状に形成され、内向きの細い端部および外向きのショルダー領域をもつ広い端部をもち、
前記上部は、前記ショルダー領域が前記開口の内縁を過ぎたところに延在するよう前記開口に挿入され、それにより前記ゴム脚が前記構造体中にロックされ、
前記輪郭付けされた下部は外部支持表面に接する底面および前記下部壁のほうに向けられ、前記ネック領域に接続される上面をもち、
前記上面は中央領域および周縁領域をもち、前記周縁領域は前記中央領域から広がり、前記下部壁のほうに屈曲し、それにより前記周縁領域の一部が前記構造体の外側部分に接触する、
構造体を支持するゴム脚集合体およびエンボスされた架台集合体。
【発明の詳細な説明】
【技術分野】
【０００１】
関連出願への相互参照
本願はここにその全体において参照として組み込まれる2010年6月9日に出願された米国仮出願第61/397,253号の利益を主張するものである。
【０００２】
発明の分野
本発明は、改善された脚部デザインをもつセットトップボックスに関する。
【背景技術】
【０００３】
セットトップボックスの上は相変わらず高く、サイズを小さくするとともに美的アピールおよび安定性を改善する必要性は絶えず高まっている。
【０００４】
特に、発生している安定性問題は、ゆがんでいるまたは非平坦であることがある表面に置いたときのセットトップボックス等のがたつきである。実のところ、多くの消費者環境において、セットトップボックスは、大掃除、娯楽センターの再配置、メンテナンスなどを含むさまざまな理由のため頻繁に動かされる。そのような頻繁な移動は安定性の変動の可能性を増す。表面上の種々の表面および種々の位置は異なる輪郭付けされたことがあるからである。
【０００５】
セットトップボックス等のサイズは小さくなり続けてきたが、そうした装置は相変わらず適正な負荷扱いおよび均衡のためには４つの脚を必要とする。４つの脚というこの要求はがたつきの機会を生じる。３脚の接点は一平面を画定するが、４脚は公差範囲外の接点をもったり、および／または他の三つと同一平面上にない接点をもったりすることがあるからである。
【０００６】
セットトップボックスについてのさらなる安定性問題は、装置の寿命を通じた機械的な衝撃や振動に起因する損傷である。装置の脚は周囲の環境との主要な機械的接点なので、脚の特性は、衝撃や振動がセットトップボックスにどのように伝達されるかを決める主因となっている。
【発明の概要】
【発明が解決しようとする課題】
【０００７】
上記の安定性問題に照らして、衝撃や振動の減衰を高めることを許容し、装置がたつきの機会をなくす改善された脚部デザインが必要とされている。
【課題を解決するための手段】
【０００８】
構造体を支持するゴム製の脚組立体およびエンボスされた架台（mounting）組立体であって：前記構造体の下部壁に沿って形成された開口および前記開口に係合するゴム脚を有しており、前記ゴム脚はネック部を通じて上部に接続された輪郭付けされた（contoured）下部をもつものが提供される。前記上部は円錐状に形成されることができ、内向きの細い端部および外向きのショルダー領域をもつ広い端部をもつことができる。前記上部は、前記ショルダー領域が前記開口の内縁を通って延在するよう前記開口に挿入されることができ、それにより前記ゴム脚が前記構造体中にロックされる。前記輪郭付けされた下部は外部支持表面に接する底面および前記下部壁のほうに向けられ、前記ネック領域に接続される上面をもつことができ、前記上面は中央領域および周縁領域をもち、前記周縁領域は前記中央領域から広がり、前記下部壁のほうに屈曲し、それにより前記周縁領域の一部が前記構造体の外側部分に接触する。
【０００９】
少なくとも一つのゴム脚およびエンボス組立体を有するセットトップボックス、コンピュータ、サーバーなどのような電子装置も提供される。当該装置は、下部壁をもつ筐体と；前記下部壁に沿って形成された少なくとも一つの開口と；前記少なくとも一つの開口に係合される少なくとも一つのゴム脚とを有しており、前記少なくとも一つのゴム脚はネック部を通じて上部に接続された輪郭付けされた（contoured）下部をもち、前記上部の広い端部は前記輪郭付けされた下部の幅より小さな幅をもつことができる。前記上部は円錐状に形成されることができ、内向きの細い端部および外向きのショルダー領域をもつ広い端部をもつことができる。前記上部は、前記ショルダー領域が前記少なくとも一つの開口の内縁を通って延在するよう前記開口に挿入されることができ、それにより前記少なくとも一つのゴム脚が前記構造体中にロックされる。可撓性であってもよい前記輪郭付けされた下部は外部支持表面に接する底面および前記下部壁のほうに向けられ、前記ネック領域に接続される上面をもつことができ、前記上面は中央領域および周縁領域をもち、前記周縁領域は前記中央領域から広がり、前記下部壁のほうに屈曲し、それにより前記周縁領域の一部が前記筐体の外側部分に接触する。前記少なくとも一つのゴム脚は、前記ネック領域から前記上部の中まで延在する細長い開口を有することができ、それにより細長い開口はショルダー領域が内向きにたわんで前記少なくとも一つの開口を通ることを許容する。前記輪郭付けされた下部、前記上部および前記ネック部はそれぞれ中心垂直軸をもつことができ、それらの中心垂直軸は同一直線上である。当該装置はさらに、前記下部壁から丸い周縁底まで外向きに広がる少なくとも一つの輪郭付けされた開口組立体と、前記下部壁のほうに内向きに、前記開口を囲む平坦な水平桟（ledge）まで延びる、前記丸い周縁底内の凹部を含むことができ、前記水平縁は前記下部壁より低いことができる。前記周縁領域が前記水平桟に接するよう、前記輪郭付けされた下部は前記凹部内に位置されることができる。ここで、前記水平桟は、前記筐体の前記外側部分である。当該装置において、前記ネック領域は円筒状に形成されることができ、前記開口を囲む壁の高さより大きな垂直方向高さをもつことができ、前記ネック領域は、前記ゴム脚が前記下部壁にロックされたまま、前記開口の前記壁に沿って垂直方向に自由に滑動するよう適応されることができる。
【図面の簡単な説明】
【００１０】
これから本発明について付属の図面を参照しつつ例として説明する。
【図１】本発明に基づくセットトップボックスの主要なコンポーネントの一連の図である。
【図２】既存のゴム脚デザインの二つの図である。
【図３】セットトップボックスに係合された既存のゴム脚デザインの二つの図である。
【図４】向上されたゴム脚デザインの二つの図である。
【図５】セットトップボックスに係合された向上されたゴム脚デザインの二つの図である。
【発明を実施するための形態】
【００１１】
本発明に基づく新規な安定化脚をもつセットトップボックス等は、図１に示されるさまざまなコンポーネントを含むことができる。これらのコンポーネントは、広い頂部ヒートシンク１０、主要なプリント回路基板１３、フレーム・パン１８および外側カバー２８であることができる。
【００１２】
より具体的には、図１のＡは、内部コンポーネントである、広い頂部ヒートシンク１０を示している。広い頂部ヒートシンク１０は、略平面状の周縁部１２および輪郭付けされた中央フィーチャーをもつ概括的に輪郭付けされたプレートであることができる。前記中央フィーチャーは、ポケット、中央くぼみ、ノッチ、凹部、多レベルくぼみ、前記平面状周縁部の平面からおよび／または該平面中に延びる台地状構造（mesa）などである。中央フィーチャーまたは中央くぼみ１１は前記平面状周縁部から延びてそれと鈍角をなす側壁をもつことができる。前記輪郭付けされたフィーチャーは主要な集積回路および／または他の熱発生コンポーネント１７に接触するようデザインされた平坦な底部をもつことができる。
【００１３】
図１のＢは、略平坦であることができる主要なプリント回路基板１３などを示している。
主要なプリント回路基板１３は、中央領域における主要な集積回路１７等および前記主要なプリント回路基板１３をフレーム・パン１８に取り付けおよび／または固定するための穴１６をもつことができる。前記主要なプリント回路基板の他のフィーチャーが図に示されており、それは一つのエッジにおけるジャック・パネル・コネクタ１５およびそれと向かい合うエッジでもよい別のエッジにおけるボタン・クラスター１４を含むことができる。主要な集積回路および他の熱発生もしくは高温コンポーネント１７は広い頂部ヒートシンク１０の中央くぼみ１１の平坦な底部または他の部分に接触することができる。ヒートシンクは他の熱発生もしくは高温コンポーネントと、パッドであってもよい熱ジョイントを通じて熱的接触にあることもできる。
【００１４】
図１のＣは、長方形の形および四つの辺をもつことができ、前記主要なプリント回路基板（pcボード）１３を収容することができるフレーム・パン１８を示している。フレーム・パン１８は、ジャック・パネル・コネクタ１５などを受け入れるジャック・パネル開口１９をもつ背面壁２１および前記pcボード１３を前記穴１６を通じてその中に取り付けるまたは固定するためのエンボス２０をもつ底部壁または底部２２をもつ。さらに、フレーム・パンは、背面壁２１上にそれを貫通する少なくとも一つの開口２５をもつことができる。貫通はフレーム・パン１８の側壁２３を越えて延在する背面の一部分を通じてであることができる。さらに、側壁２３は、それを貫通するスロットを、背面壁２１に隣接する側壁の端部により近くにもつことができる。スロット２３は外側カバー２８においてフレーム・パン１８をロックするために使われる。
【００１５】
図１のＤおよびＥは、セットトップボックスの筐体または外側カバー２８を、それぞれ正立位置および上下さかさまに回転した位置で示している。装飾的であることができる前側３０にオリフィス２９が示されている。オリフィス２９はボタン・クラスター１４を受け入れるようデザインされ、整列される。外側カバー２８はさらに上部壁３１、下部壁３２、二つの外側側面３４および開いた背面３５を含む。下部壁３２の外面は、ゴム脚１１０を含むことができる。ゴム脚は、改善された熱管理のためにセットトップボックスの下に十分な空気がはいることを保証するよう、少なくとも6mmの高さであることができる。図１のＡ〜Ｃの組み立てられた内部コンポーネントは、開いた背面３５を介して外側カバー２８中に挿入される。
【００１６】
図２のＡおよびＢは、既存のゴム脚デザインの二つの図を示している。これらは考察され、改善が必要と考えられた。図２のＡは、完全な既存のゴム脚９０の斜視図であり、図２のＢは半分に切った既存のゴム脚９０の斜視図である。既存のゴム脚９０はネック部９５を通じて上部９３に接続される下部９１をもつ。下部９１は略円筒状に形成された円板であり、セットトップボックスが設置される表面に接する底９２をもつ。上部９３は円錐状に形成され、該上部の広い端にショルダー領域９４をもつ。「円錐状に形成され」という表現は、楔形または円錐の一部または円錐セグメントを含むことが意図されていることは理解しておくべきである。一般に、二つのショルダー領域９４があることができる。ネック部９５は円筒状に形成され、上部９３の広い端部および下部９１の直径の両方より小さな直径をもつ。ネック部９５は下部９１の上面９６から延びるか上面９６に接続され、ショルダー領域９４がネック部９５から離れるように広がるよう、上部９３まで延びるまたは上部９３と接続される。下部９１、上部９３およびネック部９５はそれぞれ、みな互いに整列された中心軸９８をもつ。図２のＢには、既存のゴム脚９０に細長い開口９７が示されている。ここで、細長い開口９７は縦に配向されており、下部９１の上面９６からネック部９５を通って延在し、ショルダー領域９４を通って上部９３の細い端に向かう。
【００１７】
図３のＡおよびＢは、外側カバー２８の下部壁３２に挿入された既存のゴム脚９０の上下さかさまの図を示している。図３のＡは断面図であり、図３のＢは斜視断面図である。細長い開口９７の目的は、ネック部９５およびショルダー領域９４の両側が内側にたわむことを許容して、既存のゴム脚９０の上部９３が外側カバー２８の下部壁３２の輪郭付けされた開口組立体１００中の開口１０１に絞り込まれることができるようにすることである。輪郭付けされた開口組立体１００は、下部壁３２から延びるまたはそれから突出することができ、丸い周縁底部１０２をもつことができる。ここで、丸い周縁底部は下部壁３２の平面図の観点から丸い。凹部１０３は、丸い周縁底部から内向きに輪郭付けされることができ、開口１０１を囲む平坦な桟（さん）１０４をもつことができる。ここで、平坦なエッジ１０４は下部壁３２に平行である。図３のＡおよびＢで見て取れるように、上部９３は開口１０１中に完全に挿入されており、ショルダー領域９４は開口１０１の内縁を通過してスナップして、平坦な桟１０４に平行な開口１０１の内縁１０５と接触している。同時に、下部９１の上面９６は平坦な桟１０４と接触を維持し、それにより既存のゴム脚９０はセットトップボックス中に固定され、使用準備完了となる。
【００１８】
図４のＡおよびＢは、向上されたゴム脚１１０の二つの図を示している。図４のＡは、完全な向上されたゴム脚１１０の斜視図であり、図４のＢは半分に切った向上されたゴム脚１１０の斜視図である。向上されたゴム脚１１０はネック部９５を通じて上部９３に接続される輪郭付けされた下部１１１をもつ。輪郭付けされた下部１１１は可撓性であることができ、一般に凹状に形成された円板であることができ、セットトップボックスが設置される表面に接する輪郭付けされた底１１２をもつ。上部９３は円錐状に形成され、上部の広い端にショルダー領域９４をもつ。ネック部９５は円筒状に形成され、上部９３の広い端部および輪郭付けされた下部１１１の直径の両方より小さな直径をもつ。ネック部９５は輪郭付けされた下部１１１の輪郭付けされた上面１１６から延びるか上面１１６に接続され、ショルダー領域９４がネック部９５から離れるように広がるよう、上部９３まで延びるまたは上部９３と接続される。輪郭付けされた底１１２および輪郭付けされた上面１１６の凹形は、輪郭付けされた底１１２および輪郭付けされた上面１１６の周縁領域が上部９３に向けて内側に曲がるようなものである。輪郭付けされた底１１２および輪郭付けされた上面１１６は一般に、平面図の観点で互いに等距離な対応する諸表面点をもつという意味で互いに平行であることができる。これは緩和された状態であることができる。輪郭付けされた下部１１１、上部９３およびネック部９５はそれぞれ、みな互いに整列された中心軸９８をもつ。図４のＢには、向上されたゴム脚１１０に細長い開口９７が示されている。ここで、細長い開口９７は縦に配向されており、下部１１１の輪郭付けされた上面１１６またはその上方の何らかの位置からネック部９５を通って延在し、ショルダー領域９４を通って上部９３の細い端に向かう。
【００１９】
図５のＡおよびＢは、外側カバー２８の下部壁３２に挿入された向上されたゴム脚１１０の上下さかさまの図を示している。図５のＡは断面図であり、図５のＢは斜視断面図である。細長い開口９７の目的は、既存のゴム脚に関して上述したのと同じであり、細長い開口９７は、ネック部９５およびショルダー領域９４の両側が内側にたわむことを許容して、向上されたゴム脚１１０の上部９３が外側カバー２８の下部壁３２の輪郭付けされた開口組立体１００中の開口１０１に絞り込まれることができるようにする。細長い開口９７はゴム脚を横方向に完全に通過することができ、細長い開口９７はU空間スロットであることができ、あるいは四つ以上の辺によって囲まれた、包み込まれた穴であることもできることを理解しておくべきである。輪郭付けされた開口組立体１００は、下部壁３２から延びるまたはそれから突出することができ、丸い周縁底部１０２をもつことができる。凹部１０３は、丸い周縁底部から内向きに輪郭付けされることができ、開口１０１を囲む平坦な桟１０４をもつことができる。図５のＡおよびＢで見て取れるように、上部９３は開口１０１中に完全に挿入されており、ショルダー領域９４は開口１０１の内縁を通過してスナップして、平坦な桟１０４に平行な開口１０１の内縁と接触することができる。並行して、輪郭付けされた下部１１１の輪郭付けされた上面１１６は平坦な桟１０４と接触を維持し、それにより既存のゴム脚９０はセットトップボックス中に固定され、使用準備完了となる。
【００２０】
この実施形態において、輪郭付けされた上面１１６の周縁領域１１７は、輪郭付けされた上面１１６の周縁領域１１７が平坦な桟１０４に上部９３に向けて内向きの力を加えるよう、平坦な桟１０４に接触する。それにより、下部１１１の中央領域が外向きの力を与える。向上されたゴム脚デザインでは、ネック部９５は開口１０１を囲む垂直な開口壁１０６の高さより実質的に大きな垂直方向高さをもつ。これは、ネック領域９５が垂直開口壁１０６の高さとほぼ同じ垂直方向高さをもち、そのため上部９３および下部９１の両方が垂直開口壁１０６の近くで上面および底面に接触する既存のデザインと異なっている。向上されたシステムでは、上記の垂直高さ関係は有利なことに、上部が所定の位置にスナップされたあとでもネック部９５が垂直開口壁１０６に沿って滑動することを許容し、それにより輪郭付けされた下部１１１が最終的な適切な位置にたわむまたは動くことを許容する。
【００２１】
ある好ましい実施形態では、４つの向上されたゴム脚１１１があり、負荷分散は、セットトップボックスが置かれる表面が水平でなくても、それぞれの向上されたゴム脚１１１がセットトップボックスを均衡させるような水準〔レベル〕まで自動的に圧縮するようなものである。ここで、輪郭付けされた下部１１１の輪郭付けされた底部１１２は平坦な中央部分および曲がった周縁部分をもつことができ、曲がった周縁部分はセットトップボックスの凹部１０３にはまることができ、セットトップボックスのほうに向けて曲げられる。曲がった周縁部分はセットトップボックスに接触し、セットトップボックスから下部に向けて下向きの力が加えられると外向きにたわむ。改善されたゴム脚の四つ以上が使われるシステムでは、個々の曲がった周縁部分のそれぞれは、各下部がその安静状態からセットトップボックスのほうに動くようたわめられ、それにより脚がみな安定になる。よって、セットトップボックスはぐらつかず、すべての脚によって均等に支持され、これが振動の減衰を支援する。上部９４はセットトップボックス中の開口１０１を通じてセットトップボックスにはまり、上部９３のショルダー領域９４は、下向きの力が加えられず、脚がそれらの安静状態にあるときはセットトップボックスの内側部分に接触することができる。使用に際しては、セットトップボックスが置かれる外部表面に依存して、一つまたは複数の脚が内縁１０５に接触するショルダー領域９４をもつ一方、他の脚が接触しないショルダー領域９４をもつなど、向上された諸ゴム脚１１０は異なる程度にたわんだ輪郭付けされた諸下部１１１を有していてもよい。
【００２２】
特許請求される発明の例は具体的にセットトップボックスおよび回路基板に言及しているが、本発明はこれらのフィーチャーに限定されるものではないことは理解しておくべきである。たとえば、本発明は、コンピュータおよび他のコンポーネントをもつ他の電子装置に適用可能である。
【図１Ａ】
2013533618.tif 000003
【図１Ｂ】
2013533618.tif 000004
【図１Ｃ】
2013533618.tif 000005
【図１Ｄ−１Ｅ】
2013533618.tif 000006
【図２Ａ】
2013533618.tif 000007
【図２Ｂ】
2013533618.tif 000008
【図３Ａ】
2013533618.tif 000009
【図３Ｂ】
2013533618.tif 000010
【図４Ａ】
2013533618.tif 000011
【図４Ｂ】
2013533618.tif 000012
【図５Ａ】
2013533618.tif 000013
【図５Ｂ】
2013533618.tif 000014
【国際調査報告】
2013533618.tif 000015
2013533618.tif 000016